(57)【要約】【課題】製品の特徴や使い方を表示によって分かりやすくユーザに伝達し、ユーザがその特徴を有効に利用して製品の機能を最大限に利用することにより満足度を高めたカメラを提供すること。【解決手段】カメラがデモモードに設定されているときに、表示部５にカメラの特徴や使い方を示す画像を表示させる。この際、カメラが交流電源９に接続されているときには、特徴や使い方を示す画像を繰り返し表示させるデモ表示２を行い、カメラが交流電源９に接続されていないときには、デモ表示２よりも短時間で表示が終了するデモ表示３を行う。【選択図】      図３
2007134895.tif 000002
【特許請求の範囲】
【請求項１】
撮影結果を表示する表示手段と、
上記表示手段に当該カメラの特徴を示す画像又は使い方を示す画像の少なくとも何れかを表示するように制御する表示制御手段と、
を具備することを特徴とするカメラ。
【請求項２】
上記表示制御手段は、上記カメラの起動時に上記表示を行うように制御することを特徴とする請求項１に記載のカメラ。
【請求項３】
当該カメラが交流電源に接続されたことを検出する交流電源検出手段を更に具備し、
上記表示制御手段は、上記交流電源検出手段によって上記カメラが上記交流電源に接続されたことが検出された場合と、上記カメラが上記交流電源に接続されたことが検出されていない場合とで上記表示手段への表示態様を切り替えるように制御することを特徴とする請求項１に記載のカメラ。
【請求項４】
上記表示制御手段は、上記交流電源検出手段によって上記カメラが上記交流電源に接続されたことが検出された場合に上記表示を繰り返し行い、上記カメラが上記交流電源に接続されたことが検出されていない場合に上記表示を所定回のみ行うことを特徴とする請求項３に記載のカメラ。
【請求項５】
撮影を行うための撮影モードと、画像を再生するための再生モードと、上記カメラを省エネルギー状態とする省エネルギーモードとの少なくとも何れかに当該カメラの動作モードを設定するモード設定手段を更に具備し、
上記表示制御手段は、上記モード設定手段によって上記省エネルギーモードから上記撮影モード又は上記再生モードに切り替えられた場合に、上記表示を行うように制御することを特徴とする請求項１に記載のカメラ。
【請求項６】
上記カメラの特徴を示す画像は複数の画像からなり、各画像は、上記カメラと他の機種のカメラとの違いを比較して示すための画像であることを特徴とする請求項１に記載のカメラ。
【請求項７】
上記カメラの特徴を示す画像又は使い方を示す画像は、上記カメラの操作部材の画像と、上記カメラの操作部材が操作されることで得られる撮影画像の変化を示す画像とを含むことを特徴とする請求項１に記載のカメラ。
【発明の詳細な説明】
【技術分野】
【０００１】
本発明は、ユーザに製品の特徴及び使い方を分かりやすく伝達することが可能なカメラに関する。
【背景技術】
【０００２】
近年、コンシューマ向けのカメラ等の機器においては、電子制御技術の発達によって多機能化が進んできており、このような多機能化のため、ユーザに製品の特徴を伝えることが難しくなってきている。そこで、本出願人は、製品の特徴や使い方を正しくユーザに理解してもらうために、特許文献１のような提案を行っている。この特許文献１の提案は、カメラに太陽電池を設けておき、この太陽電池によってカメラをデモンストレーション動作可能とするものである。
【０００３】
また、特許文献２や特許文献３などにおいては宣伝や広告を表示する例が知られている。例えば、特許文献２の提案は、カメラが有する液晶ディスプレイ（ＬＣＤ）等にＷｅｂサーバからダウンロードした広告を表示するものである。また、特許文献３の提案は、所定のキー操作がなされた場合に、記録媒体に格納された広告用画像をＬＣＤ等に表示するものである。
【特許文献１】特開２００１−１０９０４９号公報
【特許文献２】特開２００３−４３９６６号公報
【特許文献３】特開２００３−２９９００４号公報
【発明の開示】
【発明が解決しようとする課題】
【０００４】
ここで、特許文献１〜３は、デジタルカメラ製品自体を使用したときの満足度を高めるための表示を行う提案ではない。特に、特許文献２及び３は、単にデジタルカメラが有する表示機能を、他の商品や店舗の紹介用のディスプレイとして代用したものに過ぎず、また本出願人が早くから留意していた、表示機能利用時の省エネルギーについても考慮していない。
【０００５】
本発明は、上記の事情に鑑みてなされたもので、製品の特徴や使い方を表示によって分かりやすくユーザに伝達し、ユーザがその特徴を有効に利用して製品の機能を最大限に利用することにより満足度を高めたカメラを提供することを目的とする。
【課題を解決するための手段】
【０００６】
上記の目的を達成するために、本発明の第１の態様によるカメラは、撮影結果を表示する表示手段と、上記表示手段に当該カメラの特徴を示す画像又は使い方を示す画像の少なくとも何れかを表示するように制御する表示制御手段とを具備することを特徴とする。
【０００７】
この第１の態様によれば、カメラの表示手段に、カメラの特徴や使い方を示す画像を表示するので、カメラの特徴や使い方を表示によって分かりやすくユーザに伝達することができる。
【発明の効果】
【０００８】
本発明によれば、製品の特徴や使い方を表示によって分かりやすくユーザに伝達し、ユーザがその特徴を有効に利用して製品の機能を最大限に利用することにより満足度を高めたカメラを提供することができる。
【発明を実施するための最良の形態】
【０００９】
以下、図面を参照して本発明の実施形態を説明する。  
図１は、本発明の一実施形態に係るカメラの主要な構成を示すブロック図である。図１のカメラは、ＣＰＵ１と、撮影部２と、画像処理部３と、記録部４と、表示部５と、電源部６、ＡＣ電源検出部７と、メモリ８とから構成されている。また、図１に示すカメラは、家庭用の交流電源（図ではＡＣ電源と示している）９に接続可能になされている。ここで、ＣＰＵ１と画像処理部３とで表示制御手段を構成している。
【００１０】
ＣＰＵ１は、マイクロコントローラなどから構成されており、本カメラの全体の制御を統括的に行う。このＣＰＵ１には、詳細は後述する操作スイッチ群（図では、レリーズスイッチ１ａ、ズームスイッチ１ｂ、電源スイッチ１ｃ、及びモードスイッチ１ｄを示している）が接続されている。ＣＰＵ１は、これら各スイッチのオンオフ状態を判定し、この判定に応じて、撮影部２、画像処理部３等の本カメラ内部の各部の動作制御を行う。
【００１１】
撮影部２は、後述する撮影レンズの後方に撮像素子が配置されて構成されている。撮影レンズは、図示しない被写体からの光束を撮像素子に結像させる。撮像素子は、撮影レンズを介して結像された被写体像を電気信号に変換し、この電気信号を、撮像素子出力として画像処理部３に出力する。
【００１２】
なお、撮影レンズは、焦点調節可能なようにフォーカスレンズを含んでいても良いし、ズーミング可能なようにズームレンズを含んでいても良い。ただし、これらレンズを含めた場合には、これらレンズを駆動するための駆動機構が別途必要である。以後は、撮影レンズがフォーカスレンズ及びズームレンズを含んでいるものとして説明を続ける。
【００１３】
画像処理部３は、撮影部２の撮像素子から入力された撮像素子出力に対して各種の処理を施す。この処理としては、例えば、Ａ/Ｄ変換処理、露出や色の補正処理、圧縮処理等がある。Ａ/Ｄ変換処理は、アナログ信号として出力される撮像素子出力をデジタルの画像データに変換する処理である。露出補正処理は、撮影時の画像データの露出量を補正する処理である。色補正処理は、画像データの色を表示や印刷に適するような色に補正する処理である。圧縮処理は、画像データをＪＰＥＧ方式等の所定の符号化方式で圧縮する処理である。
【００１４】
ここで、画像処理部３は、画像データを圧縮した後、圧縮によって得られる圧縮画像データを記録部４に記録する処理も行う。また、画像処理部３は、記録部４に記録されている画像データを伸長して液晶ディスプレイ（ＬＣＤ）などからなる表示部５に再生する処理も行う。更に、画像処理部３は、撮影前に撮影部２から入力される画像を逐次表示部５に表示させる、所謂スルー画表示に関する処理も行う。このようなスルー画表示を行うことにより、表示部５を、撮影時においてフレーミングを行うための表示部として利用することができる。
【００１５】
電源部６は、本カメラのＣＰＵ１、撮影部２、記録部４、及び表示部５を動作可能とするためのエネルギーを供給する。この電源部６は、２次電池や充電回路等から構成されている。２次電池は、充電可能に構成された電池であり、本カメラの各部にエネルギーを供給する。充電回路は、家庭用の交流電源９からのエネルギー供給により、２次電池を充電する。このような充電を行っておくことにより、カメラの持ち運び時には２次電池による電源供給がなされる。
【００１６】
ＡＣ電源検出部７は、本カメラが交流電源９に接続されているか否かを検出し、その検出結果をＣＰＵ１に出力する。
【００１７】
メモリ８には、ユーザによる各種スイッチ操作を受けてＣＰＵ１において実行される所定のプログラムが格納されている。また、本一実施形態においては、メモリ８に、後で詳述するデモンストレーション表示（以下、デモ表示と称する）を行うための画像データも格納されている。ここで、デモ表示を行うための画像データは記録部４に格納しておくようにしても良い。ただし、この場合の記録部４は、カメラに着脱可能な記録部ではなく、カメラに内蔵された記録部であることが好ましい。
【００１８】
図２は、図１に示すカメラの外観斜視図である。ここで、図２（ａ）はカメラの前面方向から見た斜視図であり、図２（ｂ）はカメラの背面方向から見た斜視図である。
【００１９】
図２（ａ）に示すように、カメラ１００の前面には撮影部２の撮影レンズ１０１が配置されている。また、カメラ１００の前面には撮影時に被写体の周囲が暗い場合等に露出補助のための補助光を発光するフラッシュ発光部１０２も設けられている。
【００２０】
また、図２（ａ）や図２（ｂ）に示すように、カメラ１００の上面には、上記したスイッチを操作するための操作部材として、レリーズボタン１０３、ズームボタン１０４（ワイドボタン１０４ａ、テレボタン１０４ｂからなる）、電源ボタン１０５が設けられている。ここで、レリーズボタン１０３は、本カメラにおいて露出動作（撮影動作）を実行するためのボタンである。このレリーズボタンを押すことによりレリーズスイッチ１ａがオンして露出動作が開始される。ズームボタン１０４はズーム動作を実行するためのボタンである。ズームボタン１０４の何れかのボタンを押すことにより、ズームスイッチ１ｂの状態が切り替わり、ズームレンズが広角側若しくは望遠側の何れかに駆動される。また、電源ボタン１０５は本カメラの電源のオンオフを切り替えるためのボタンである。電源ボタン１０５を押すことにより、本カメラの電源のオンオフが切り替わる。
【００２１】
また、図２（ａ）に示すように、家庭用の交流電源９は、ＡＣアダプタ１０６を介して本カメラ１００の側面に接続可能になされている。本カメラ１００の内部の側面近傍には図１の電源部６が配されており、図２（ａ）のようにカメラ１００と交流電源９とをＡＣアダプタ１０６を介して接続することにより、交流電源９の電気エネルギーを電源部６内部の充電回路に供給することが可能である。
【００２２】
更に、図２（ｂ）に示すように、カメラ１００の背面には、モードボタン１０７と表示部５の表示パネルとしてのＬＣＤパネル１０８とが設けられている。ここで、モードボタン１０７は本カメラの動作モードを切り替えるためのボタンであり、モードボタンを押すことにより、モードスイッチ１ｄの状態が切り替わりカメラの動作モードが設定される。ここで、カメラの動作モードとしては、例えば、撮影モード、再生モード、デモモードがある。
【００２３】
撮影モードは、本カメラの撮影部２で取得された画像を記録部４に記録する撮影動作を行うための動作モードである。再生モードは、記録部４に記録された画像を表示部５に再生する再生動作を行うための動作モードである。デモモードは、本一実施形態の特徴であるデモ表示を行うための動作モードである。
【００２４】
なお、上記した各動作モードのうち、デモモードは、撮影モード及び再生モードとは独立して設定可能な動作モードである。このような独立した設定を行うために、デモモードのオンオフを切り替えるための専用の操作部材を設けるようにしても良いし、カメラの設定メニュー項目の中でデモモードを設定できるようにしておいても良い。
【００２５】
また、本カメラの動作モードは、上記した撮影モード、再生モード、デモモードの他に、省エネルギーモードがある。この省エネルギーモードは電源ボタン１０５によってカメラの電源がオフされたときの動作モードである。省エネルギーモードが設定された場合に、本カメラは省エネルギー状態となる。
【００２６】
以下、図１及び図２のような構成を有するカメラにおけるメイン動作について、図３のフローチャートを参照して説明する。このフローチャートの処理は、メモリ８に格納された所定のプログラムに従ってＣＰＵ１により実行される。
【００２７】
ＣＰＵ１は、ユーザによって電源ボタン１０５がオン（ＯＮ）されたか否かを判定している（ステップＳ１）。ステップＳ１の判定において、電源ボタン１０５がオンされた場合には、ステップＳ１をステップＳ２に分岐して、ＣＰＵ１は、モードボタン１０７の操作により、現在、デモモードが設定されているか否かを判定する（ステップＳ２）。
【００２８】
ステップＳ２の判定において、現在、デモモードが設定されている場合には、ステップＳ２をステップＳ３に分岐して、ＣＰＵ１は、以下に説明するデモ表示１を表示させるように画像処理部３に指示を送る（ステップＳ３）。
【００２９】
ここで、デモ表示１は、本カメラの起動時に、撮影レンズ１０１を繰り出したり、フラッシュ発光用の充電を行ったりしているときの待ち時間を有効に利用する表示である。このデモ表示１においては、例えば図４のような表示を行う。この図４の表示は、本カメラの特徴をユーザに知らせるための表示であり、ユーザが一見して本カメラの特徴を知ることができるような表示を、例えば文字表示によって行う。
【００３０】
このようなデモ表示１を行うことにより、製品の購入時において、ユーザは製品の特徴を把握するために、カタログを手にしたり、店員を呼んで製品の特徴を聞いたりする必要がない。また、カメラ使用時において、ユーザはカメラの特徴部分を再確認することができ、より有効なカメラの使い方を考えることが可能である。例えば、ズームレンズが３倍ズーム可能に構成されていることが特徴である場合、このことをデモ表示１として表示しておけば、ユーザにズームボタン１０４を操作して構図の変化を持たせた撮影を試みたいと考えさせるきっかけとなる。これにより、ユーザは、撮影する写真に構図の変化を持たせ、写真の出来栄えを向上させることができる。つまり、図４のようなデモ表示１を行うことにより、ユーザは製品の特性を引き出すことができ、これによってユーザの満足度を高めることが可能である。
【００３１】
ステップＳ３のデモ表示１は、カメラ起動時において、撮影レンズ１０１を繰り出したり、フラッシュ発光用の充電を行ったりしているときの待ち時間を利用する表示であるので、これらの動作が終了したときに表示終了となる。ステップＳ２の判定において現在デモモードが設定されていない場合、若しくはデモ表示１が終了した後、ステップＳ４に移行して、ＣＰＵ１は、本カメラの動作モードが撮影モードに設定されているか否かを判定する（ステップＳ４）。ステップＳ４の判定において、動作モードが撮影モードに設定されている場合には、ステップＳ４をステップＳ５に分岐して、ＣＰＵ１は、フレーミングのために、撮影部２において取得される被写体像を逐次表示部５に表示させる（ステップＳ５）。その後、ユーザによってレリーズボタン１０３が押されると、ＣＰＵ１は露出動作を実行する（ステップＳ６）。この露出動作によって撮影部２により取得された被写体像は、上記したようにして画像処理部３によって読み出される（ステップＳ７）。その後、この読み出された画像は画像処理部３において処理された後（ステップＳ８）、記録部４に記録される（ステップＳ９）。ここで、ステップＳ５〜ステップＳ９までの処理は従来のカメラにおける処理と同様であるので、その詳細な説明については省略する。これらの処理の後、処理がステップＳ１に戻る。
【００３２】
また、ステップＳ４の判定において、動作モードが撮影モードに設定されていない場合には、ステップＳ４をステップＳ１０に分岐して、ＣＰＵ１は、現在、デモモードが設定されているか否かを再び判定する（ステップＳ１０）。ステップＳ１０の判定において、デモモードが設定されている場合には、ステップＳ１０をステップＳ１１に分岐して、ＣＰＵ１は、ＡＣ電源検出部７の出力より、本カメラが交流電源９に接続されているか否かを判定する（ステップＳ１１）。ステップＳ１１の判定において、本カメラが交流電源９に接続されている場合には、ステップＳ１１をステップＳ１２に分岐する。この場合、電源部６の２次電池の残量がなくなってしまうおそれがないので、ＣＰＵ１は、デモ表示２を表示させるように画像処理部３に指示を送る（ステップＳ１２）。一方、ステップＳ１１の判定において、本カメラが交流電源９に接続されていない場合には、ステップＳ１１をステップＳ１３に分岐する。この場合、電源部６の２次電池の残量がなくなってしまうおそれがあるので、ＣＰＵ１は、デモ表示２よりも短時間で終了するデモ表示３を表示させるように画像処理部３に指示を送る（ステップＳ１３）。これらデモ表示２、デモ表示３に係る処理の詳細については後で説明する。
【００３３】
また、ステップＳ１０の判定において、デモモードが設定されていない場合には、ステップＳ１０をステップＳ１４に分岐して、ＣＰＵ１は、記録部４に記録されている画像を再生する再生モードの処理を行う（ステップＳ１４）。その後に、ステップＳ１に戻る。なお、再生モードの処理も従来のカメラにおける処理と同様であるので、その詳細な説明については省略する。
【００３４】
また、ステップＳ１の判定において、電源ボタン１０５がオフ（ＯＦＦ）である場合には、ステップＳ１をステップＳ１５に分岐して、ＣＰＵ１は、本カメラを省エネルギーモードとする処理を行う（ステップＳ１５）。ここで、本一実施形態においては、ＣＰＵ１は、省エネルギーモード中に、現在、デモモードが設定されているか否かを判定する（ステップＳ１６）。ステップＳ１６の判定において、デモモードが設定されていない場合には、ステップＳ１６をＮｏに分岐して、省エネルギーモードの状態が継続され、処理はステップＳ１に戻る。
【００３５】
一方、ステップＳ１６の判定において、デモモードが設定されている場合には、ステップＳ１６をステップＳ１７に分岐して、ＣＰＵ１は、ＡＣ電源検出部７の出力より、本カメラが交流電源９に接続されているか否かを判定する（ステップＳ１７）。ステップＳ１７の判定において、本カメラが交流電源９に接続されていない場合には、ステップＳ１７をＮｏに分岐して、省エネルギーモードの状態が継続される。一方、ステップＳ１７の判定において、本カメラが交流電源９に接続されている場合には、ステップＳ１７をステップＳ１８に分岐して、ＣＰＵ１は、所定時間が経過したか否かを判定する（ステップＳ１８）。ステップＳ１８の判定において、所定時間が経過していない場合には、ステップＳ１８をＮｏに分岐して、省エネルギーモードの状態が継続される。
【００３６】
一方、ステップＳ１８の判定において、所定時間が経過した場合には、ステップＳ１８をステップＳ１９に分岐して、ＣＰＵ１は、ステップＳ１２と同様のデモ表示２を表示させる処理を行う（ステップＳ１９）。
【００３７】
次に、上記デモ表示２、デモ表示３について説明する。デモ表示２、デモ表示３は、カメラ起動時に行われるデモ表示１よりも表示時間に余裕があるときに行われる表示であり、例えば図５（ａ）、図５（ｂ）、図５（ｃ）に示すように、複数の画像を用いてカメラの特徴をより具体的にユーザに知らせることが可能な表示である。
【００３８】
図５（ａ）の表示は、ユーザがワイドボタン１０４ａを押した場合に撮影される画像の例を示す表示である。この図５（ａ）のような画像を表示することにより、ワイドボタン１０４ａを押すことにより、広角の像が撮影でき、主要な被写体である人物の他に背景まで撮影できることを、ユーザに目視で分かりやすく示すことができる。この図５（ａ）の表示が所定時間なされた後、図５（ｂ）のような表示に切り替わる。図５（ｂ）の表示は、ユーザがテレボタン１０４ｂを押した場合に撮影される画像の例を示す表示である。この図５（ｂ）のような画像を表示することにより、テレボタン１０４ｂを押すことにより、望遠の像が撮影でき、主要な被写体である人物の顔の表情を分かりやすく撮影できることを、ユーザに目視で分かりやすく示すことができる。これら図５（ａ）及び図５（ｂ）の表示を行うことにより、ユーザはズーム機能の使い方及びその効果を容易に認識できる。
【００３９】
図５（ｂ）の表示が所定時間なされた後、図５（ｃ）のような表示に切り替わる。図５（ｃ）の表示は、図５（ａ）及び図５（ｂ）で示したズーム機能の効果を要約した表示である。このような表示を行うことにより、図５（ａ）及び図５（ｂ）で示したズーム機能の効果を簡潔にユーザに示すことが可能である。
【００４０】
ここで、デモ表示２とデモ表示３との違いは、図５（ａ）〜図５（ｃ）で示す表示の表示回数である。つまり、本カメラが交流電源９に接続されているときに行われるデモ表示２は、電池切れの心配がないので、例えば、図５（ａ）〜図５（ｃ）に示す表示を繰り返し行うようにする。これに対し、デモ表示３においては、電池切れの心配があるので、省エネルギー対策のために、例えば、図５（ａ）〜図５（ｃ）に示す表示を１回若しくは所定回数のみ行うようにする。
【００４１】
以下、図６を参照してデモ表示２の表示処理を、図７を参照してデモ表示３の表示処理を説明する。ここで、以下の説明においては、図５（ａ）〜図５（ｃ）で示す画像を順次表示部５に表示させていく動作を「動画表示」と呼ぶことにする。
【００４２】
まず、デモ表示２の表示処理を説明する。デモ表示２の処理においては、まずＣＰＵ１は、上記動画表示を行う（ステップＳ２１）。動画表示を行っている間、ＣＰＵ１は、ユーザによるデモ表示の終了操作がなされたか否かを判定する（ステップＳ２２）。この終了操作としては、例えば、デモモードの解除操作や、再生モード、撮影モードの設定操作等がある。また、省エネルギーモード中は電源ボタン１０５のオン操作、再生モード、撮影モードの設定操作等の、省エネルギーモードの解除操作となる。
【００４３】
ステップＳ２２の判定において、終了操作がなされていない場合には、ステップＳ２２をステップＳ２３に分岐して、ＣＰＵ１は、動画表示が終了か、即ち図５（ａ）〜図５（ｃ）で示す画像を全て表示させたか否かを判定する（ステップＳ２３）。ステップＳ２３の判定において、動画表示が終了でない場合には、ステップＳ２３をＮｏに分岐して、ステップＳ２２に戻り、動画表示を継続する。
【００４４】
一方、ステップＳ２３の判定において、動画表示が終了である場合には、ステップＳ２３をステップＳ２１に分岐して、再び動画表示を行う。
【００４５】
また、ステップＳ２２の判定において、終了操作がなされた場合には、ステップＳ２２をステップＳ２４に分岐して、ＣＰＵ１は、現在、動作モードが再生モードに設定されているか否かを判定する（ステップＳ２４）。ステップＳ２４の判定において、動作モードが再生モードに設定されている場合には、図２のステップＳ１４の再生モードの処理に戻る。一方、ステップＳ２４の判定において、動作モードが再生モードに設定されていない場合には、図２のステップＳ１５の省エネルギーモードの処理に戻る。
【００４６】
つまり、デモ表示２においては、ステップＳ２４において、デモ表示の終了操作がなされるまで、図５（ａ）〜図５（ｃ）で示す画像が繰り返し動画表示される。なお、１回の動画表示が終了したあとは、デモ表示１で表示される別の機能（図４の例では撮像素子の画素数、ＬＣＤの大きさ）に係る動画表示を行うようにしても良い。また、デモ表示２は、本カメラが省エネルギーモードであっても、交流電源９からの電源供給がなされている場合には行われる。これにより、例えば本カメラを店頭などで展示する際に、店員がいなくともカメラの特徴をユーザに訴求することができ、カメラの購買の決定をユーザに促すことができる。
【００４７】
次に、図７を参照してデモ表示３の表示処理を説明する。デモ表示３が開始されると、ＣＰＵ１は、上記動画表示を行う（ステップＳ３１）。動画表示を行っている間、ＣＰＵ１は、ユーザによるデモ表示の終了操作がなされたか否かを判定する（ステップＳ３２）。ステップＳ３２の判定において、何らかの終了操作がなされた場合には、図７のフローチャートを抜けて図２のステップＳ１４の再生モードの処理に戻る。一方、ステップＳ３２の判定において、終了操作がなされていない場合には、ステップＳ３２をステップＳ３３に分岐して、ＣＰＵ１は、動画表示が終了か否かを判定する（ステップＳ３３）。ステップＳ３３の判定において、動画表示が終了でない場合には、ステップＳ３３をＮｏに分岐して、ステップＳ３２に戻り、動画表示を継続する。
【００４８】
一方、ステップＳ３３の判定において、動画表示が終了である場合には、図７のフローチャートを抜けて図２のステップＳ１４の再生モードの処理に戻る。つまり、デモ表示３においては、図５（ａ）〜図５（ｃ）で示す一連の画像がそれぞれ１回ずつ表示される。したがって、表示の終了時間はデモ表示２よりも早くなる。
【００４９】
ここで、デモ表示２、３の変形例について説明する。  
図８（ａ）、図８（ｂ）は、デモ表示２、３の第１の変形例について示す図である。この第１の変形例においては、デモ表示２、３の動画表示機能を有効利用している。つまり、ズーム比が従来機に対してどのように変化したのか等の、動きを伴ってユーザに説明したほうが効果的な場合に、例えば図８（ａ）の画像と図８（ｂ）の画像とを動画表示することで、従来機のズーム比が２倍までであったのが、３倍にまで変化したことをユーザに視覚的に知らせることが可能となる。つまり、このような表示により、ユーザは他機種に対する本カメラの特徴をより明瞭に理解することが可能となる。
【００５０】
また、図９（ａ）、図９（ｂ）は、デモ表示２、３の第２の変形例について示す図である。この第２の変形例は、カメラのどのボタンを操作すると、どのような効果があるのかを視覚的に分かりやすく表示する例である。例えば、図９（ａ）はズームアップ操作の例であり、カメラの上面に配置されたテレボタン１０４ｂを押すと、望遠側の撮影が行われることが分かるようになっている。また、図９（ｂ）はズームダウン操作の例であり、カメラの上面に配置されたワイドボタン１０４ａを押すと、広角側の撮影が行われることが分かるようになっている。
【００５１】
なお、図９（ａ）を図１０のように動画表示するようにしても良い。この図１０は、ズームアップ操作に伴って被写体である人物が大きく写る様子を動画として表示させるものである。このような表示により、ユーザはより直感的にズーム機能を理解することができる。このような動画表示はズームダウン操作の場合に適用しても良いことは言うまでもない。
【００５２】
更に、デモ表示２、３として、カメラの一連の特徴を順次表示していくようにしても良い。このような場合には、例えば、まず本カメラの製品名を示すための画像を表示し、その後に、各種特徴について説明するための画像を表示していくようにする。ユーザは、これらの画像を見ることで、カメラの特徴ある機能を一連の流れとして理解することができるようになる。また、このとき、各種特徴について説明するための画像を表示すると共に、説明者やキャラクタを示す画像を表示して、これら説明者やキャラクタが製品の内容を説明していくような表示形態とすることで、よりユーザが親しみ易い表示形態としても良い。
【００５３】
以上説明したように、本一実施形態によれば、生産技術の向上や部品の価格の下落によって、近年大型化してきた液晶ディスプレイ等の表示部を利用して、ユーザに製品の特徴や使い方を正しく伝えることができる。これにより、ユーザは製品の購入時においては製品の内容を正しく理解することができるので、ユーザに購入を促す効果があると共に、製品の利用時においては、製品の機能を有効利用でき、より様々な使い方を試みることが可能となる。
【００５４】
以上実施形態に基づいて本発明を説明したが、本発明は上記した実施形態に限定されるものではなく、本発明の要旨の範囲内で種々の変形や応用が可能なことは勿論である。
【００５５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５６】
【図１】本発明の一実施形態に係るカメラの主要な構成を示すブロック図である。
【図２】図２（ａ）はカメラの前面方向から見た斜視図であり、図２（ｂ）はカメラの背面方向から見た斜視図である。
【図３】本発明の一実施形態に係るカメラにおけるメイン動作について示すフローチャートである。
【図４】デモ表示１の表示例を示す図である。
【図５】デモ表示２及びデモ表示３の表示例を示す図である。
【図６】デモ表示２の表示処理について示すフローチャートである。
【図７】デモ表示３の表示処理について示すフローチャートである。
【図８】デモ表示２、デモ表示３の第１の変形例を示す図である。
【図９】デモ表示２、デモ表示３の第２の変形例を示す図である。
【図１０】デモ表示２、デモ表示３の第２の変形例の別の例を示す図である。
【符号の説明】
【００５７】
１…ＣＰＵ、１ａ…レリーズスイッチ、１ｂ…ズームスイッチ、１ｃ…電源スイッチ、１ｄ…モードスイッチ、２…撮影部、３…画像処理部、４…記録部、５…表示部、６…電源部、７…ＡＣ電源検出部、８…メモリ、９…交流電源、１０１…撮影レンズ、１０２…フラッシュ発光部、１０３…レリーズボタン、１０４…ズームボタン、１０５…電源ボタン、１０６…ＡＣアダプタ、１０７…モードボタン、１０８…ＬＣＤパネル
【図１】
2007134895.tif 000003
【図２】
2007134895.tif 000004
【図３】
2007134895.tif 000005
【図４】
2007134895.tif 000006
【図５】
2007134895.tif 000007
【図６】
2007134895.tif 000008
【図７】
2007134895.tif 000009
【図８】
2007134895.tif 000010
【図９】
2007134895.tif 000011
【図１０】
2007134895.tif 000012